(57)【要約】      （修正有）【課題】遊泳時に鼻に挟着して水が鼻腔内に進入するのを防止し、付け心地が快適で脱落しにくいノーズクリップ構成を提供する。【解決手段】ノーズクリップ構成は、フレーム２及び鼻パッド３を備え、フレーム２は一対の挟持アーム２１、２２及び結合部２３を含む。結合部２３は一対の挟持アーム２１、２２に連接されて挟持のための可撓性を共に形成させる。鼻パッド３は一対の挟持アーム２１、２２にそれぞれ設置され、鼻翼に接触して脱落を防止させる脱落防止部材３２１が少なくとも設置される。このような構造により挟着及び脱落防止方式で鼻翼に夾持される。【選択図】図２
0003217579.tif 000002
【実用新案登録請求の範囲】
【請求項１】
鼻翼に挟着され、フレーム及び鼻パッドを備えるノーズクリップ構成であって、
前記フレームは一対の挟持アーム及び結合部を含み、前記結合部は前記一対の挟持アームに連接されて挟持のための可撓性を共に形成させ、
前記鼻パッドは前記一対の挟持アームにそれぞれ設置され、且つ鼻翼に接触させて脱落を防止させる脱落防止部材が少なくとも設置されることを特徴とするノーズクリップ構成。
【請求項２】
前記鼻パッドの脱落防止部材は吸盤であることを特徴とする請求項１に記載のノーズクリップ構成。
【請求項３】
前記鼻パッドの脱落防止部材は摩擦を増加させる凹凸面または顆粒であることを特徴とする請求項１に記載のノーズクリップ構成。
【請求項４】
前記吸盤はベース及び前記ベースと一体に設置される円弧状パッドを備え、且つ前記円弧状パッドは凹部を有することを特徴とする請求項２に記載のノーズクリップ構成。
【請求項５】
前記吸盤のベースの面積は前記円弧状パッドより大きいことを特徴とする請求項４に記載のノーズクリップ構成。
【請求項６】
前記鼻パッドの吸盤は前記一対の挟持アームに設置され、前記各挟持アームの端縁には組立用溝が設けられ、前記組立用溝はノッチを有する挟持トラック及び前記挟持トラックに沿って一体に設置される嵌め込み孔を備え、前記鼻パッドには前記挟持トラックに装設されると共に前記吸盤のベースと一体に設置される軸柱、及び前記軸柱に沿って一体に設置されるヘッド部が設置されることを特徴とする請求項４に記載のノーズクリップ構成。
【請求項７】
前記挟持トラックの幅は前記嵌め込み孔の内径より狭く、前記軸柱の縦方向の断面の幅は前記挟持トラックの幅よりやや広く、前記ヘッド部の横断面の幅は前記挟持トラックの嵌め込み孔の内径より広いことを特徴とする請求項６に記載のノーズクリップ構成。
【請求項８】
前記一対の挟持アーム及び前記結合部が共に上が広く下が狭い弧形を形成させ、且つ前記各挟持アームは傾斜する弧状を呈し、前記一対の挟持アームに適度な挟持のための可撓性を提供し、鼻翼に挟着された後に快適に挟着されて貼り付けられることを特徴とする請求項１に記載のノーズクリップ構成。
【請求項９】
前記鼻パッドはオーバーモールド（over-molding injection）またはデュアルインジェクション （dual- injection）の加工方式で一体成形されて前記一対の挟持アームに固定されることを特徴とする請求項２に記載のノーズクリップ構成。
【請求項１０】
前記フレームの材質としてナイロン（Nylon）が採用され、前記鼻パッドの材質として熱可塑性ゴムまたはシリコンゴムが採用されることを特徴とする請求項１に記載のノーズクリップ構成。
【考案の詳細な説明】
【技術分野】
【０００１】
本考案は、ノーズクリップに関し、更に詳しくは、遊泳時に鼻に挟着して水が鼻腔内に進入するのを防止させ、且つ付け心地が快適で脱落しにくいノーズクリップ構成に関する。
【背景技術】
【０００２】
よく知られているように、ノーズクリップは主に遊泳時に水が鼻腔に進入するのを防止させる水泳の補助用具である。一般的には、シンクロナイズドスイミングの選手や息継ぎができない水泳初心者が使用している。ノーズクリップの構造は鼻翼に挟着できる挟持力を提供しつつ、その挟持力が鼻を過度に挟持して痛みを与えないようになっている。
【考案の概要】
【考案が解決しようとする課題】
【０００３】
従来のノーズクリップの構造は単純であり、挟持力を有するＵ字体として設計され、Ｕ字型の両側の挟持アームが鼻に挟着される。しかしながら、付け心地の良さはノーズクリップの使用上重要なポイントであり、鼻翼に挟着した際に痛みを感じ、不快で怪我をするのであれば理想的な用具とは言えない。このため、従来のノーズクリップは前記Ｕ字体を軟性材質で被覆させ、或いは鼻翼に接触させるＵ字体にパッドを設置させることによって使用時に鼻翼に快適に貼り付けられる効果を達成させている。これ以外にも、軟性材質を被覆させる方式や鼻翼に接触させるＵ字体にパッドを設置させる方式は、Ｕ字型の２つの垂直挟持アームが鼻翼に挟着された後に上が広く下が狭い輪郭に順応せず、挟持の弾性が硬すぎて挟着後に不快を感じ、且つＵ字型の２つの垂直挟持アームが鼻梁を圧迫して痛みを感じさせた。更に、鼻翼の形状は山の形に似ており、両側が傾斜面であり、一旦ノーズクリップの保護パッドが鼻翼に挟着されると、滑って脱落する現象が発生し、特に鼻翼が高い場合は顕著であった。
【０００４】
そこで、本考案者は上記の欠点（すなわち、使用時に不快感があり、且つ脱落しやすい）が改善可能と考え、鋭意検討を重ねた結果、合理的設計で上記の課題を効果的に改善する本考案の提案に到った。
【０００５】
かかる従来の実情に鑑みて、本考案は、ノーズクリップ構成を提供することを目的とする。換言すれば、前記ノーズクリップが鼻翼に挟着された後に、鼻梁の上が広く下が狭い輪郭に順応して快適な挟持力を提供し、且つ脱落防止効果を有する。例えば、鼻翼に吸着されて挟持及び吸着の２つの機能を提供することで付け心地が更に快適になり、脱落しにくくなる効果を提供する。
【課題を解決するための手段】
【０００６】
上記課題を解決するために、本考案のある態様のノーズクリップ構成は、フレーム及び鼻パッドを備える。前記フレームは一対の挟持アーム及び結合部を含み、前記結合部は前記一対の挟持アームに連接されて挟持のための可撓性を共に形成させる。前記鼻パッドは前記一対の挟持アームにそれぞれ設置され、且つ前記鼻パッドには鼻翼に接触させて脱落を防止させる脱落防止部材が少なくとも設置される。これにより、ノーズクリップが十分な挟着及び脱落防止方式を提供して鼻翼に挟持される。
【０００７】
好ましくは、前記鼻パッドの脱落防止部材は吸盤であり、或いは摩擦を増加させる凹凸面または顆粒である。
【０００８】
好ましくは、前記鼻パッドは前記一対の挟持アームの組立用溝に設置され、オーバーモールド（over-molding injection）またはデュアルインジェクション （dual- injection）の加工方式で一体成形されて前記一対の挟持アームに固装される。
【０００９】
好ましくは、前記鼻パッドは前記一対の挟持アームに設置され、前記一対の挟持アームの端縁には組立用溝が設置される。前記組立用溝はノッチを有する挟持トラック及び前記挟持トラックに沿って一体に設置される嵌め込み孔を備え、前記鼻パッドには前記挟持トラックに装設される軸柱、及び前記軸柱に沿って一体に設置されるヘッド部が設置される。前記鼻パッドの脱落防止部材として吸盤が採用され、前記吸盤は一体で前記軸柱から延伸されるベース及び前記ベースと一体に設置される円弧状パッドを有し、且つ前記円弧状パッドは凹部を有する。
【００１０】
好ましくは、前記一対の挟持アーム及び前記結合部は上が広く下が狭い弧形を共に形成させ、且つ前記各挟持アームは傾斜する弧状であり、前記一対の挟持アームに適度な挟持のための可撓性を提供し、鼻翼に挟着された後に快適に挟着されて貼り付けられる。
【図面の簡単な説明】
【００１１】
【図１Ａ】本考案の第１実施形態に係るノーズクリップ構成を他の角度から見た斜視の分解図である。
【図１Ｂ】本考案の第１実施形態に係るノーズクリップ構成を他の角度から見た斜視の分解図である。
【図２】本考案のノーズクリップ構成の組立を示す斜視図である。
【図３】図２の正面図である。
【図４Ａ】本考案のノーズクリップ構成を他の角度から見た側面図であり、前記鼻パッドが挟持トラックに組立される状態図である。
【図４Ｂ】図４Aの４Ｂ−４Ｂ線に沿う断面図である。
【図５Ａ】本考案のノーズクリップ構成を他の角度から見た平面図である。
【図５Ｂ】図５Ａの５Ｂ−５Ｂ線に沿う断面図である。
【図６】本考案のノーズクリップが鼻翼に挟持される概略図である。
【図７】本考案の第２実施形態に係るノーズクリップ構成を示す斜視図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１３】
本考案のノーズクリップ１は、フレーム２及び鼻パッド３を備える。前記フレーム２としてナイロン（Nylon）が採用され、一対の挟持アーム２１、２２及び結合部２３を含む。前記各挟持アーム２１、２２は傾斜する弧状であり、且つ前記挟持アーム２１、２２の端縁には組立用溝２１１、２２１が設けられる。前記組立用溝２１１、２２１は挟持トラック２１２、２２２及び前記挟持トラック２１２、２２２に沿って一体に設置される嵌め込み孔２１３、２２３で構成される。前記挟持トラック２１２、２２２はノッチ２１４、２２４を有し、且つ前記挟持トラック２１２、２２２の幅は前記嵌め込み孔２１３、２２３の内径より狭い。前記結合部２３は前記一対の挟持アーム２１、２２に連接されて挟持のための可撓性を共に形成させる。すなわち、前記一対の挟持アーム２１、２２及び前記結合部２３が上が広く下が狭い弧形を共に形成させ、挟持のための可撓性を提供するのみならず、前記一対の挟持アームに適度な挟持のための可撓性を提供し、快適に挟着されて貼り付けられる（図１Ａ及び図１Ｂ参照）。
【００１４】
前記鼻パッド３は軟性材質であり、熱可塑性ゴムまたはシリコンゴムが採用され、図５Ａ及び図５Ｂに示されるように、前記フレーム２の組立用溝２１１、２２１に装設され、軸柱３１２及び前記軸柱３１２に沿って一体に設置されるヘッド部３１３を有する。前記軸柱３１２の縦方向の断面の幅は前記挟持トラック２１２、２２２の幅よりやや広く、前記ヘッド部３１３の横断面の幅は前記挟持トラック２１２、２２２の嵌め込み孔２１３、２２３の内径より広い。また、前記軸柱３１２には前記挟持トラック２１２、２２２のノッチ２１４、２２４に対する凸部３１４が設置され、前記凸部３１４が装設された後に前記挟持トラック２１２、２２２及びノッチ２１４、２２４に填充され、前記鼻パッド３が前記挟持トラック２１２、２２２に堅固に装設される。前記脱落防止部材３２１は本実施形態では吸盤であり（実際の実施では摩擦を増加させる凹凸面や顆粒でもよい）、前記吸盤３２１はベース３２２及び前記ベース３２２と一体に設置される円弧状パッド３２３を有し、前記ベース３２２は一体で前記軸柱３１２から延設され、その面積は前記円弧状パッド３２３より大きい。これにより、鼻翼に接触する場合に前記ベース３２２の面積が大きいため、前記挟持アーム２１、２２の端縁が鼻翼に当着されず、不快感を与えない。また、前記円弧状パッド３２３は凹部３２４を有し、前記凹部３２４が鼻翼に貼り付けられると空気が押し出されて鼻翼に吸着され、これにより一対の挟持アーム２１、２２の挟持が補助されて水中で使用する際の脱落が防止される。
【００１５】
なお、図４Ａ及び図４Ｂと図１Ａ及び図１Ｂからみると、本考案に係るノーズクリップ１の装設時に、前記鼻パッド３の材料の可撓性により、前記軸柱３１２が前記一対の挟持アーム２１、２２の端縁のノッチ２１４、２２４に沿って前記挟持トラック２１２、２２２に向けて前記嵌め込み孔２１３、２２３に填充され、且つ前記凸部３１４が前記挟持トラック２１２、２２２及びノッチ２１４、２２４に填充され（図２参照）、前記鼻パッド３が前記挟持トラック２１２、２２２に堅固に固装される。装設後に本考案に係るフレーム２は前記一対の挟持アーム２１、２２及び前記結合部２３が上が広く下が狭い弧形を共に形成させ、図３に示されるように、前記一対の挟持アームに適度な挟持のための可撓性を提供し、鼻翼に挟着された後に快適に挟着されて貼り付けられる。前記鼻パッド３は前記脱落防止部材３２１の円弧状パッド３２３の凹部３２４（図４Ｂ参照）が鼻翼に貼り付けられることにより空気が押し出されて鼻翼に吸着される。
【００１６】
続いて、図５Ａ及び図５Ｂと図６からみると、本考案に係るノーズクリップ１を着用する場合、前記フレーム２の一対の挟持アーム２１、２２が鼻パッド３に近接して外に向けて開かれ、開かれる動作により前記一対の挟持アーム２１、２２がエネルギーを保存し、鼻翼に挟着される。前記保護パッド３２１の円弧状パッド３２３の凹部３２４が鼻翼６に貼り付けられると空気が押し出されて鼻翼６に吸着され、これにより前記一対の挟持アーム２１、２２の挟持が補助されて脱落が防止される。なお、前記フレーム２の結合部２３が弧形に設計されていることにより、前記一対の挟持アームに適度な挟持のための可撓性を提供し、鼻翼に挟着された後に快適に挟着されて貼り付けられる。
【実施例２】
【００１７】
図７は本考案の第２実施形態に係るノーズクリップ構成を示す斜視の分解図である。本実施形態に係るノーズクリップ１'は同様にフレーム２'及び鼻パッド３'を備える。前記フレーム２'としてナイロン（Nylon）が採用され、一対の挟持アーム２１'、２２'及び前記一対の挟持アーム２１'、２２'に連接される結合部２３'を含み、且つ前記結合部２３'は前記一対の挟持アーム２１'、２２'に連接されて挟持のための可撓性を共に形成させる。すなわち、前記一対の挟持アーム２１'、２２'及び前記結合部２３'が上が広く下が狭い弧形を共に形成させ、挟持のための可撓性を提供するのみならず、前記一対の挟持アームに適度な挟持のための可撓性を提供し、快適に挟着されて貼り付けられる、また、各挟持アーム２１'、２２'の端縁には組立用溝２２１'が設けられる（他側は図示せず）。前記鼻パッド３'は軟性材質であり、熱可塑性ゴムまたはシリコンゴムが採用される。同様に、前記脱落防止部材３２１'は吸盤であり、前記吸盤３２１'はベース３２２'及び円弧状パッド３２３'を有する。ちなみに、本実施形態の前記鼻パッド３'はオーバーモールド（over-molding injection）またはデュアルインジェクション （dual- injection）の加工方式で一体成形され、前記一対の挟持アーム２１'、２２'及び結合部２３'の成形後に、前記鼻パッド３'のベース３２２'及び円弧状パッド３２３'が前記組立用溝２１１'、２２１'により前記一対の挟持アーム２１'、２２'の端縁に一体成形される。これにより、同様に挟持及び吸着の２つの機能を提供し、着用がさらに快適になり、脱落しにくくなる効果を提供する。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１  ノーズクリップ
１'  ノーズクリップ
２  フレーム
２'  フレーム
３  鼻パッド
３'  鼻パッド
２１  一対の挟持アーム
２２  一対の挟持アーム
２１'  一対の挟持アーム
２２'  一対の挟持アーム
２３  結合部
２３'  結合部
２１１  組立用溝
２２１  組立用溝
２１２  挟持トラック
２２２  挟持トラック
２１３  嵌め込み孔
２２３  嵌め込み孔
２１４  ノッチ
２２４  ノッチ
３１２  軸柱
３１３  ヘッド部
３１４  凸部
３２１'  脱落防止部材（吸盤）
３２１'  脱落防止部材（吸盤）
３２２  ベース
３２２'  ベース
３２３  円弧状パッド
３２３'  円弧状パッド
【図１Ａ】
0003217579.tif 000003
【図１Ｂ】
0003217579.tif 000004
【図２】
0003217579.tif 000005
【図３】
0003217579.tif 000006
【図４Ａ】
0003217579.tif 000007
【図４Ｂ】
0003217579.tif 000008
【図５Ａ】
0003217579.tif 000009
【図５Ｂ】
0003217579.tif 000010
【図６】
0003217579.tif 000011
【図７】
0003217579.tif 000012